(57)【要約】【課題】  記録ディスクが露呈される開口を適切に遮光及び防塵することができ、かつシャッターの誤開放を防止することのできる感光性記録媒体用カートリッジを提供する。【解決手段】  感光性を有する記録ディスク４を収容するカートリッジ２は、記録ディスク４の中心部及び記録面を外部に露呈させる内部開口を有するカートリッジ本体１１と、このカートリッジ本体１１の外側に取り付けられ、内部開口と対面する外部開口１４を有する遮光板１２と、カートリッジ本体１１と遮光板１２との間にスライド自在に組み込まれて、内部開口及び外部開口１４を開閉するシャッター１３とからなる。シャッター１３を閉じ位置でロックするロック機構を解除するには、位置決め溝７内に突出された第２のロック部材６４をカートリッジ本体１１内に押し込んだ状態で、開口７２から露呈された第１のロック部材６３をスライドさせなければならない。【選択図】        図１
2006244587.tif 000002
【特許請求の範囲】
【請求項１】
ディスク状の感光性記録媒体を回転自在に収容するカートリッジ本体と、
このカートリッジ本体に設けられ、感光性記録媒体の中心と記録面とを外部に露呈させる第１の開口と、
前記カートリッジ本体の外側に取り付けられ、第１の開口に対面して感光性記録媒体の中心と記録面とを外部に露呈させる第２の開口を有する遮光板と、
カートリッジ本体と遮光板との間に組み込まれ、第１の開口及び第２の開口よりも大きな外形を有するシャッターとを備え、
このシャッターは、第１の開口と第２の開口との間に配置される閉じ位置と、第１の開口と第２の開口との間から退避する開き位置との間で移動自在であることを特徴とする感光性記録媒体用カートリッジ。
【請求項２】
前記シャッターは、遮光板の外側に露出される被操作部を有し、この被操作部を操作することにより閉じ位置と開き位置との間で移動されることを特徴とする請求項１記載の感光性記録媒体用カートリッジ。
【請求項３】
前記シャッターを閉じ位置でロックするロック機構を設けたことを特徴とする請求項１または２記載の感光性記録媒体用カートリッジ。
【請求項４】
前記ロック機構は、シャッターの開き位置への移動を阻止する第１のロック位置と、シャッターの開き位置への移動を許容する第１の解除位置との間で移動自在とされた第１のロック部材と、
第１のロック部材の第１の解除位置への移動を阻止する第２のロック位置と、第１のロック部材の第１の解除位置への移動を許容する第２の解除位置との間で移動自在とされた第２のロック部材とからなることを特徴とする請求項３記載の感光性記録媒体用カートリッジ。
【請求項５】
前記感光性記録媒体は、ホログラム記録媒体であることを特徴とする請求項１ないし４いずれか記載の感光性記録媒体用カートリッジ。
【発明の詳細な説明】
【技術分野】
【０００１】
本発明は、感光性記録媒体を収容する感光性記録媒体用カートリッジに関し、更に詳しくは、カートリッジ本体に設けられた開口を開閉するシャッターを備えた感光性記録媒体用カートリッジの改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。特許文献１には、カートリッジの詳しい構成は記載されていないものの、特許文献２に記載されているカートリッジと同様の構成を有しているものと考えられる。
【０００４】
特許文献２記載の発明は、ホログラム記録層の感応色を遮光する材質でカートリッジを形成し、ホログラム記録媒体を外部に露呈させる可動部分の合せ目には、スポンジ状の遮光材を貼付している。また、特許文献２には、記録媒体を回転自在な状態で収容するカートリッジ本体と、このカートリッジ本体に設けられ、記録媒体の一部を外部に露呈させる開口と、この開口を開閉するシャッターとを備えたカートリッジが記載されている。
【特許文献１】特開２００４−０２９４７６号公報
【特許文献２】特開２００３−３１７４２２号公報
【発明の開示】
【発明が解決しようとする課題】
【０００５】
ホログラム記録媒体を収容するカートリッジは、カートリッジ本体とシャッターとの間の遮光及び防塵が適切に行なわれないと、光や塵芥がカートリッジ内に進入し、ホログラム記録媒体に悪影響を与えてしまう。しかし、特許文献１には、カートリッジ本体とシャッターとの間の遮光及び防塵構造に関する記載がない。また、特許文献２記載のカートリッジは、カートリッジ本体とシャッターとの間をスポンジ状の遮光材で遮光しているが、この遮光材が剥がれ、または劣化した場合に適切な遮光及び防塵が行なえなくなるという問題がある。
【０００６】
また、カートリッジが機器の外にあるときにシャッターが開放されると、ホログラム記録層が感光されて使用できなくなってしまう。しかし、上記特許文献１及び２記載のカートリッジには、シャッターの誤開放を防止する措置がとられていない。
【０００７】
本発明は、上記問題を解決するために、カートリッジ本体とシャッターとの間を適切に遮光及び防塵することができ、かつシャッターの誤開放を防止することのできる感光性記録媒体用カートリッジを提供する。
【課題を解決するための手段】
【０００８】
上記課題を解決するために、本発明の感光性記録媒体用カートリッジは、ディスク状の感光性記録媒体を回転自在に収容するカートリッジ本体と、このカートリッジ本体に設けられ、感光性記録媒体の中心と記録面とを外部に露呈させる第１の開口と、カートリッジ本体の外側に取り付けられ、第１の開口に対面して感光性記録媒体の中心と記録面とを外部に露呈させる第２の開口を有する遮光板と、カートリッジ本体と遮光板との間に組み込まれ、第１の開口及び第２の開口よりも大きな外形を有するシャッターとから構成し、シャッターは、第１の開口と第２の開口との間に配置される閉じ位置と、第１の開口と第２の開口との間から退避する開き位置との間で移動するようにした。これによれば、第１の開口は、シャッターによって閉じられ、シャッターの外形部分は遮光板によって覆われるので、第２の開口と第１の開口との間には、遮光用の壁が入り組んだ、いわゆるラビリンス状の遮光構造が形成される。
【０００９】
カートリッジ本体と遮光板との間に組み込まれたシャッターを移動させるために、シャッターには、遮光板の外側に露出される被操作部を設ける。これにより、遮光板による遮光能を低下させることなく、シャッターを移動させることができる。
【００１０】
また、シャッターの誤開放を防止するために、シャッターを閉じ位置でロックするロック機構を設けるとよい。ロック機構としては、シャッターの開き位置への移動を阻止する第１のロック位置と、シャッターの開き位置への移動を許容する第１の解除位置との間で移動自在とされた第１のロック部材と、第１のロック部材の第１の解除位置への移動を阻止する第２のロック位置と、第１のロック部材の第１の解除位置への移動を許容する第２の解除位置との間で移動自在とされた第２のロック部材とから構成する。これによれば、シャッターを開く際に、第１のロック部材と第２のロック部材とを順番に解除しなければならない。
【発明の効果】
【００１１】
本発明の感光性記録媒体用カートリッジによれば、カートリッジ本体の開口とシャッターとの間を適切に遮光及び防塵することができる。また、シャッターの不用意な開放を防止することができる。
【発明を実施するための最良の形態】
【００１２】
図１〜３は、本発明を実施したホログラム記録媒体用カートリッジ（以下、カートリッジと省略する）の外観形状を示す斜視図である。図１は、カートリッジ２の一方の面（Ｂ面）２ｂを上方にした状態を示し、図２はＢ面の反対側のＡ面２ａを上方にした状態を示している。カートリッジ２は、内部に設けられたディスク収容部３（図３参照）に円板形状のホログラム記録媒体（以下、記録ディスクと称する）４を回転自在に収容している。
【００１３】
カートリッジ２は、このカートリッジを取り扱うホログラム記録装置等に対し、矢印Ｃ方向から装填される。カートリッジ２の装填方向先端の両側面には、カートリッジ２がホログラム記録装置等の各種機器に装填された際に、各機器に設けられた位置決め部材が挿入される位置決め溝７，８が設けられている。
【００１４】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスクの両面の記録面に記録を行なうために、Ａ面２ａまたはＢ面２ｂのいずれかを上にしてホログラム記録装置にセットされる。
【００１５】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッター１３とを備えている。遮光板１２の上下面には、第２の開口である略長方形の外部開口１４，１５が形成されている。これらの外部開口１４，１５は、シャッター１３が閉じ位置にあるときに、第１シャッター５５ａ，第２シャッター５５ｂによって閉じられている。
【００１６】
図３に示すように、シャッター１３が矢印Ｄ方向の開き位置に向けて移動されると、外部開口１４，１５とともに、外部開口１４，１５に対面するようにカートリッジ本体１１に設けられている同形状の内部開口１８，１９が開放される。これにより、ディスク収容部３内に収容されている記録ディスク４の中心部４ａと、記録面４ｂとが外部に露呈される。
【００１７】
シャッター１３は、内蔵するシャッターバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３，７２から露呈されている第の１ロック部材６３をカートリッジ装填方向の後端側にスライドさせる。このように、シャッター１３は、２段階の操作を行なわなければ解除されないロック機構によって閉じ位置でロックされているため、シャッター１３が不用意に開放されることはない。
【００１８】
図４は、カートリッジ２の構成を示す分解斜視図である。また、図５及び図６は、カートリッジ２の装填方向、及び装填方向に直交する方向の断面図である。カートリッジ本体１１は、略板状の第１シェル２５と、この第１シェル２５に接合される第２シェル２６と、第１シェル２５と第２シェル２６との間に組み込まれてシャッター１３のロックを行なうロック機構２７とから構成されている。
【００１９】
第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図５（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００２０】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部と記録面とを外部に露呈させる内部開口１９が設けられている。
【００２１】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面に当接する。ディスク収容部３は、これらの遮光壁３０，３１，３５と、第１シェル２５及び第２シェル２６の内面とによって形成される。ディスク収容部３の側壁は、３枚の遮光壁３０，３１，３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００２２】
また、第２シェル２６の第３の遮光壁３５の先端は、超音波溶着によって第１シェル２５の内面２５ｄに固着される。これにより、第１シェル２５と第２シェル２６とが強固に接合されるため、両者の合せ目に隙間が開くようなことはない。また、超音波溶着を行なうと、プラスチック粉が周囲に飛散する場合があるが、第１の遮光壁３０と第２の遮光壁３１との間で行なうことにより飛散を最小限にし、記録ディスク４の汚損を防止することができる。
【００２３】
なお、第１シェル２５と第２シェル２６との超音波溶着は、カートリッジ本体１１にシャッター１３やロック機構２７を組み込んだ後で行なうと、シャッター１３やロック機構２７を構成する部品が一緒に溶着されることがある。これを防止するために、シャッター１３やロック機構２７の構成部品の材質には、第１シェル２５及び第２シェル２６とは異なる種類のプラスチックを用いるとよい。
【００２４】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッター１３の滑り性とを確保するために、遮光性物質と滑剤とが添加されたプラスチックを用いるとよい。遮光板１２は、アルミニウム合金の薄板に外部開口１４，１５と、シャッター１３の移動範囲を得るための切欠４０とを形成し、断面が略コ字形状となるように屈曲させたものである。これにより、遮光板１２には、外部開口１４，１５をそれぞれ有する第１の板部１２ａ及び第２の板部１２ｂと、切欠４０を有し、第１の板部１２ａと第２の板部１２ｂとを連設させる第３の板部１２ｃとが設けられている。
【００２５】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにカートリッジ本体１１に取り付けられる。第１シェル２５及び第２シェル２６の外面には、遮光板１２の厚み以上の深さで内側にオフセットさせた遮光板取付面２５ａ，２６ａが形成されているため、カートリッジ本体１１に取り付けられた遮光板１２の外面は、カートリッジ２の表面から突出することはない。
【００２６】
遮光板１２の第１の板部１２ａ及び第２の板部１２ｂの外周には、略等間隔で小さな穴４９が形成されている。また、第１シェル２５及び第２シェル２６の遮光板取付面２５ａ，２６ａには、遮光板１２の穴４９に対応する位置に、遮光板１２の厚みよりも僅かに長いピン５０が一体に形成されている。遮光板１２がカートリッジ本体１１の外側に取り付けられると、第１シェル２５及び第２シェル２６のピン５０が穴４９に挿入され、遮光板１２の表面から突出される。各ピン５０の先端が熱で潰されることにより、遮光板１２はカートリッジ本体１１に固着される。なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００２７】
シャッター１３は、遮光性を有する薄板を略コ字形状となるように屈曲させたシャッター部材５５と、このシャッター部材５５に取り付けられる細長い板状のスライド部材５６とからなる。シャッター部材５５は、遮光板１２と同様の理由により、例えば、アルミニウム合金で形成されている。なお、シャッター部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００２８】
シャッター部材５５は、第１シェル２５の外面と遮光板１２の第１の板部１２ａとの間に挿入される第１シャッター５５ａと、第２シェル２６の外面と遮光板１２の第２の板部１２ｂとの間に挿入される第２シャッター５５ｂと、これら第１シャッター５５ａと第２シャッター５５ｂとを連設するとともに、スライド部材５６が取り付けられる連設部５５ｃとを備えている。第１シェル２５と第２シェル２６との外面には、遮光板取付面２５ａ，２６ａの内側に、シャッター部材５５の厚み以上の深さで内側にオフセットさせたシャッター摺動面２５ｂ，２６ｂが形成されている。これにより、シャッター１３はカートリッジ本体１１と遮光板１２との間をスムースに移動することができるため、移動による切屑等の発生を抑えることができる。なお、シャッター摺動面２５ｂ，２６ｂは、入射した光を拡散するために、粗面にしてもよい。同様に遮光板１２の内面、及びシャッター１３の内面及び外面も粗面にしてもよい。
【００２９】
スライド部材５６は、上面がカートリッジ本体１１の装填方向先端面から露出されるように、第１シェル２５と第２シェル２６との間にスライド自在に組み込まれる。スライド部材５６の上面端部には、シャッター部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッター部材５５とスライド部材５６とを固着する。なお、この固着にも接着剤や両面テープ等を用いてもよいし、シャッター部材５５をプラスチックで形成する場合には、各種溶着を使用してもよい。また、ねじ止めを用いてもよい。
【００３０】
図５（Ａ）及び図７に示すように、スライド部材５６の側面には、長手方向に沿って溝５６ｃが形成されている。この溝５６ｃには、第１シェル２５及び第２シェル２６の装填方向先端側の内面に設けられた突条２５ｃ，２６ｃが挿入される。この溝５６ｃと突条２５ｃ，２６ｃとにより、スライド部材５６はカートリッジ本体１１から外れることなく、スライド移動することができるようになる。
【００３１】
スライド部材５６の他方の上面端部には、シャッター１３を開く際に操作される被操作部５６ｄが一体に形成されている。この被操作部５６ｄは、シャッター部材５５に対し、スライド部材５６をシャッターの閉じ方向に伸ばすように設けたことにより、遮光板１２の第３の板部１２ｃに隠れることなく外部に露出されている。図３に示すように、遮光板１２の第３の板部の切欠４０は、シャッター１３が開き位置に移動した際に、被操作部５６ｄとの干渉を避けるために設けられている。
【００３２】
シャッター１３は、シャッターバネ５９により閉じ方向に付勢されている。シャッターバネ５９は、例えば、捩じりコイルバネからなり、その両端は、スライド部材５６と、第１シェル２５の内面とに係止されている。
【００３３】
ロック機構２７は、シャッター１３を閉じ位置でロックする第１のロック部材６３と、この第１のロック部材６３の移動をロックする第２のロック部材６４と、第２のロック部材６４を図中反時計方向、及び上方に向けて付勢するロックバネ６５とから構成されている。
【００３４】
第１のロック部材６３は、スライド部材５６に形成された被ロック溝５６ｅに係合してシャッター１３を閉じ位置でロックするロック爪６３ａと、このロック爪６３ａと一体に設けられた矩形の摺動部６３ｂと、この摺動部６３ｂの第２シェル２６に対する面に形成された円柱形状のボス６３ｃと、このボス６３ｃと摺動部６３ｂとに貫通して形成された操作穴６３ｄとからなる。ロック爪６３ａには、シャッター１３が開き位置から閉じ位置に移動する際に、被ロック溝５６ｅとの係合を誘うための斜面６３ｅが形成されている。
【００３５】
第２のロック部材６４は、第１のロック部材６３のボス６３ｃの外周に回動自在に挿入される穴６４ａを備えたリンク部６４ｂと、このリンク部６４ｂと一体に設けられ、ボス６３ｃを中心に回動する回動部６４ｃと、この回動部６４ｃの側面から垂直に立設された被押圧片６４ｄと、ロックバネ６５の一端が係止されるバネ係止部６５ｅとからなる。
【００３６】
第１のロック部材６３は、図８（Ａ）に示すように、スライド部材５６の被ロック溝５６ｅにロック爪６３ａが係合する第１のロック位置と、同図（Ｃ）に示すように、下方にスライドして被ロック溝５６ｅとの係合を解除する第１の解除位置との間で移動される。第２のロック部材６４は、同図（Ａ）に示すように、ロックバネ６５に付勢されて垂直状態となり、被押圧片６４ｄを位置決め溝７内の切欠６７から突出させる第２のロック位置と、同図（Ｂ）に示すように、図中に時計方向に回動する第２の解除位置との間で移動される。
【００３７】
第１シェル２５の内面には、第１のロック部材６３の摺動部６３ｂが上下方向で摺動自在に挿入される矩形の摺動枠６９と、第２のロック部材６４の回動部６４ｃの一方の側面と底面とを受け止めて図中反時計方向への回動と下方へのスライドとを阻止する規制片７０と、ロックバネ６５の他端が係止されるボス７１とが形成されている。摺動枠６９には、第１のロック部材６３の操作穴６３ｄを第１シェル２５の外面から外部に露呈させる開口７２が形成されている。また、第２シェル２６にも同様に操作穴６３ｄを外部に露呈させる開口７３が、開口７２に対面する位置に形成されている。
【００３８】
図８（Ａ）は、不使用時のカートリッジ２のロック機構２７の状態を示している。第２のロック部材６４は、ロックバネ６５により上方に付勢されているため、第１のロック部材６３のロック爪６３ａは、スライド部材５６の被ロック溝５６ｅに係合する。これにより、シャッター１３を閉じ位置から開き位置にスライドさせようとしても、被ロック溝５６ｅとロック爪６３ａとの係合によりシャッター１３がスライドすることはない。また、第１シェル２５及び第２シェル２６に設けられた開口７２，７３から、第１のロック部材６３の操作穴６３ｄに棒などを挿入してスライドさせようとしても、第２のロック部材６４の底面が規制片７０に当接するため、やはりロックは解除されない。
【００３９】
図９に示すように、カートリッジ２を装填して使用されるホログラム記録装置内には、例えば、一対の位置決め部材７７ａ，７７ｂと、第１のロック部材６３を操作するロック解除機構７８と、シャッター１３を開き位置と閉じ位置との間でスライドさせるシャッタースライド機構８０とが組み込まれている。一対の位置決め部材７７ａ，７７ｂは、装填されたカートリッジ２の両側面の位置決め溝７，８に係合して、カートリッジ２の挿入方向、及びこの挿入方向に直交する方向でカートリッジ２を位置決めする。
【００４０】
ロック解除機構７８は、カートリッジ２の開口７３から第１のロック部材６３の操作穴６３ｄに挿入される係合ピン７９ａと、この係合ピン７９ａを第１のロック部材６３のロック解除方向にスライドさせるスライド機構とを備えている。なお、記録ディスク４は両面への記録が可能であるため、カートリッジ２は、Ａ面２ａまたはＢ面２ｂのいずれもが上方に向けられて装置にセットされるが、装填面が異なると、ロック機構２７の位置が左右で反転する。そのため、ロック解除機構７８は、カートリッジ２が反転して装填された場合でも操作穴６３ｄに係合できるように、反転装填時用の係合ピン７９ｂを備えている。係合ピン７９ａ，７９ｂは、同時に矢印方向に移動される。なお、一方の係合ピンが操作穴６３ｄに係合している際に、他方の係合ピンが邪魔になるため、係合ピン７９ａ，７９ｂは、カートリッジ２に当接した時に引っ込むような構造にするとよい。
【００４１】
シャッタースライド機構８０は、スライド部材５６の被操作部５６ｄの外側に当接する操作片８０ａと、この操作片８０ａをシャッター１３のスライド方向にスライドさせるスライド機構とを備えている。このシャッタースライド機構８０も、カートリッジ２の反転挿入に対応するためにもう一つの操作片８０ｂを備えており、操作片８０ａ，８０ｂは同時に矢印方向に移動される。
【００４２】
カートリッジ２が上記ホログラム記録装置に装填されると、図８（Ｂ）に示すように、位置決め部材７７ａが位置決め溝７に挿入される。また、装置内に設けられたロック解除機構７８の係合ピン７９ａが第１のロック部材６３の操作穴６３ｄに挿入され、シャッタースライド機構８０の操作片８０ａが、スライド部材５６の被操作部５６ｄの外側に配置される。位置決め部材７７ａは、第２のロック部材６４の被押圧部６４ｄをロックバネ６５の付勢に抗して押圧する。第２のロック部材６４は、リンク部６４ｂを中心に時計方向に回動して、回動部６４ｃの底面が規制片７０から離れるため、第１のロック部材６３の下方へのスライドが可能となる。
【００４３】
同図（Ｃ）に示すように、ロック解除機構７８は、係合ピン７９ａを解除方向にスライドさせて、ロック爪６３ａと被ロック溝５６ｅとの係合を解除する。その後、シャッタースライド機構８０が操作片８０ａを図中左方の開き方向に向けてスライドさせることで、シャッター１３が開放される。このように、ロック機構２７は、第２のロック部材６４を回動させ、第１のロック部材６３をスライドさせなければ解除されないため、シャッター１３が不用意に開放されるのを効果的に防止することができる。
【００４４】
なお、上記実施形態では、第２のロック部材を回動させるようにしたが、第１のロック部材と同様にスライドさせてもよい。図１０及び１１は、第２のロック部材をスライド動作させるようにしたロック機構の構成を示している。第２のロック部材１００は、第１シェル１０１内に設けられたスライド枠１０２内に組み込まれて横方向でスライド自在とされている。第２のロック部材１００は、先端１００ａが円弧形状に形成されて位置決め溝１０３に設けられた切欠１０４から外部に突出される。また、第２のロック部材１００の後端には、規制突起１００ｂが一体に設けられている。
【００４５】
第１のロック部材１０７は、第２のロック部材１００の上に重ねられるようにスライド枠１０２内に組み込まれ、縦方向でスライド自在とされている。第１のロック部材１０７の先端には、スライド部材１０８の凹部１０８ａに係合してシャッターをロックするロック片１０７ａと、開口１０９から外部に露呈される操作穴１０７ｂと、第２のロック部材１００と嵌合する嵌合溝１０７ｃ，１０７ｄとを備えている。第１のロック部材１０７及び第２のロック部材１００は、ピン１１０に挿入されたロックバネ１１１によってそれぞれ上方及び右方に付勢されている。
【００４６】
図１１（Ａ）に示すように、カートリッジの不使用時には、ロックバネ１１１の付勢により第２のロック部材１００の先端１００ａは切欠１０４から位置決め溝１０３内に突出されている。このときに、第２のロック部材１００の規制突起１００ｂは、第１のロック部材１０７の嵌合溝１０７ｃに嵌合して、第１のロック部材１０７の下方へのスライドを阻止する。
【００４７】
同図（Ｂ）に示すように、カートリッジがホログラム記録装置等に装填されると、位置決め溝１０３に挿入された位置決め部材１１４により先端１００ａが押され、第２のロック部材１００はカートリッジ内に押し込まれ、規制突起１００ｂが嵌合溝１０７ｃから抜け出る。これにより、第１のロック部材１０７は、下方へのスライドが可能となる。
【００４８】
同図（Ｃ）に示すように、ロック解除機構が操作穴１０７ｂに係合されている係合ピン１１５を下方にスライドさせると、第１のロック部材１０７は、嵌合溝１０７ｄによって第２のロック部材１００との当接を避けながら下方にスライドする。これにより、ロック片１０７ａがスライド部材１０８の凹部１０８ａから抜け出るため、シャッターの移動が可能となる。シャッタースライド機構の操作部材１１６は、スライド部材１０８の被操作部１０８ｂを押圧して、シャッタを開放する。この実施形態のロック機構においても、シャッターのロックを解除するために２段階の操作が必要となるため、不用意にシャッターが開放されるのを防止することができる。
【００４９】
また、上記各実施形態では、シャッターのロック機構を解除するために２段階の操作を行なうようにしたが、ロック解除の被操作部を誤操作されにくい部分に設ける場合には、１回の操作で解除できるようにすることもできる。図１２及び１３に示すように、第２のロック部材１２０は、第１シェル１２１内に設けられたスライド枠１２２内に組み込まれて横方向でスライド自在とされている。第２のロック部材１２０は、先端１２０ａが円弧形状に形成されて位置決め溝１２３に設けられた切欠１２４から外部に突出される。また、第２のロック部材１２０の後端には、切欠１２０ｂと、斜めに形成された長穴１２０ｃとが一体に設けられている。
【００５０】
第１のロック部材１２７は、第２のロック部材１２０の下に重ねられるようにスライド枠１２２内に組み込まれ、縦方向でスライド自在とされている。第１のロック部材１２７の先端１２７ａは、スライド部材１２８の凹部１２８ａに係合してシャッターをロックする。第１のロック部材１２７の後端には、第２のロック部材１２０の切欠１２０ｂと重なり合う切欠１２７ｂと、長穴１２０ｃに挿入されるリンクピン１２７ｃとが形成されている。第１のロック部材１２７及び第２のロック部材１２０は、ピン１３０に挿入されたロックバネ１３１によってそれぞれ上方及び右方に付勢されている。
【００５１】
図１３（Ａ）に示すように、カートリッジの不使用時には、ロックバネ１３１の付勢により第２のロック部材１２０の先端１２０ａは切欠１２４から位置決め溝１２３内に突出されている。このときに、第２のロック部材１２０の長穴１２０ｃは、第１のロック部材１２７のリンクピン１２７ｄを押圧して、先端１２７ａをスライド部材１２８の凹部１２８ａに係合させる。
【００５２】
同図（Ｂ）に示すように、カートリッジがホログラム記録装置等に装填されると、位置決め溝１２３に挿入された位置決め部材１３４により先端１２０ａが押され、第２のロック部材１２０はカートリッジ内に押し込まれる。このときに、長穴１２０ｃがリンクピン１２７ｃを押圧して第１のロック部材１２７を下方にスライドさせる。これにより、先端１２７ａがスライド部材１２８の凹部１２８ａから抜け出るため、シャッターの移動が可能となる。シャッタースライド機構の操作部材１３６は、スライド部材１２８の被操作部１２８ｂを押圧して、シャッターを開放する。この実施形態のロック機構では、位置決め溝１２３内というカートリッジの外部から操作しにくい部分にロック機構を解除する被操作部を設けることにより、不用意にシャッターが開放されるのを防止することができる。
【００５３】
上記第１シェル２５及び第２シェル２６を形成するプラスチックに添加する遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００５４】
上記滑剤として、例えば、シリコーン系滑剤を用いることができる。このシリコーン系滑剤の添加により摩擦抵抗が低減するため、シャッター１３の移動による削り屑の発生を少なくすることができる。また、輸送時の衝撃で記録ディスク４とカートリッジ本体１１の内壁とが接触した場合の削り屑の発生も低減することができる。更に、機器への挿入性等の取り扱い性が向上する。また、流動性が向上するため、成形時の混練性、射出成形性等の加工性等も向上する。
【００５５】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【実施例】
【００５６】
次に、本発明の実施例について説明する。
第１シェル及び第２シェルの成形に用いる熱可塑性プラスチックには、ＰＣ、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリロニトリル共重合）、ＰＭＭＡ、ＰＣ等を用いることができる。また、超音波溶着による誤溶着防止のために、第１シェル及び第２シェル以外の部品については、上記熱可塑性プラスチックの中から、第１シェル及び第２シェルに使用したものと異なるものを選択するとよい。
【００５７】
第１シェル及び第２シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【００５８】
（１）無機化合物
Ａ．酸化物・・・シリ力、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミ二ウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩・・・硫酸カルシウム、硫酸バリウム、硫酸アンモニウム、亜硫酸カルシウム等
Ｅ．ケイ酸塩・・・夕ルク、クレー、マイ力、アスベスト、ガラス繊維、ガラスバルーン、ガラスビーズ、ケイ酸カルシウム、モンモリロナイト、ベントナイト等
Ｆ．炭素・・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミ二ウムペースト、夕
ルク等
（２）有機化合物
木粉（松、樫、ノコギリクズなど）、穀繊維（アーモンド、ピーナッツ、モミ穀など）、木綿、ジュート、紙細片、非木材繊維（ワラ、ケナフ、竹、エスパルト、パガス、モロヘイヤ、煙火など）セロハン片、ナイロン繊維、ポリプロピレン繊維、・デンプン（変性デンプン、表面処理デンプンも含む）、芳香族ポリアミド繊維等
【００５９】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００６０】
遮光性物質としてカーボンブラックを使用する場合には、その添加量を０．０１〜２．００重量％とするのが好ましい。上述したように、遮光性及び物理強度のバランスがよいプラスチックを得るためである。
【００６１】
カーボンブラックの原料による分類例をあげるとガスブラック、ファーネスプラック、チャンネルブラック、アントラセンブラック、アセチレンブラック、ケッチェンカーボンプラック、サーマルブラック、ランプブラック、油煙、松煙、アニマルプラック、ベジタブルブラツク等がある。
【００６２】
好ましいカーボンブラックの市販品の代表例としては、例えば三菱化成製のカーボンブラック＃２０（Ｂ），＃３０（Ｂ），＃３３（Ｂ），＃４０（Ｂ），＃４１（Ｂ），＃４４〔Ｂ），＃４５（Ｂ），＃５０，＃５５，＃１００，＃６００，＃９５０，＃１０００，＃２２００〔Ｂ），＃２４００（Ｂ），ＭＡ８，ＭＡ１１，ＭＡ１００等が挙げられる。また、電気化学製のデンカブラック、東海カーボンのシースト、旭カーボンの旭＃７８、昭和キャボットのショウワブラック、新日鉄化学のニテロン、三菱化学のダイヤブラック等の各種グレードのものも用いることができる。
【００６３】
海外の製品としては、例えばキャボット社のＢｌａｃｋ  Ｐｅａｒｌｓ  ２，４６，７０，７１，７４，８０，８１，６０７等、Ｒｅｇａｌ３００，３３０，４００，６６０，９９１，ＳＲＦ−Ｓ等、Ｖｕｌｃａｎ  ３，６等、Ｓｔｅｒｌｉｎｇ１０，ＳＯ，Ｖ，Ｓ，ＦＴ−ＦＦ，ＭＴ−ＦＦ等が挙げられる。
【００６４】
さらにアシュランドケミカル社のＵｎｉｔｅｄ  Ｒ，ＢＢ，１５，１０２，３００１，３００４，３００６，３００７，３００８，３００９，３０１１，３０１２，ＸＣ−３０１６，ＸＣ−３０１７，３０２０等が挙げることができるが、本発明は、これらに限定されるものではない。
【００６５】
また、第１シェル及び第２シェルとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【００６６】
また、シェルに設ける粗面としては、表面粗さＲａ：５μｍ以下だと光拡散効果が薄く、２０μｍ以上だと記録ディスクとの接触時に傷を発生させるおそれがある。そのため、表面粗さＲａ：５〜２０μｍのマット加工、またはシボ加工が好ましい。
【００６７】
遮光板１２及びシャッター部材５５に使用するアルミニウム合金としては、Ａｌ−Ｍｇ系合金が好ましく、例えば、ＪＩＳ合金番号５０５２，５０５６等が好ましい。また、より強度を高める場合には、ＪＩＳ合金番号５０８３、５０８６等がより好ましい。更に、強度を高める場合には、Ａｌ−Ｍｇ−Ｓｉ系合金（例えば、ＪＩＳ合金番号６０６３，６０６１）や、Ａｌ−Ｃｕ系合金（例えば、ＪＩＳ合金番号２０１４，２０１７）、Ａｌ−Ｚｎ−Ｍｇ系合金（例えば、ＪＩＳ合金番号７００３，７Ｎ０１，７０７５，７０５０）等を用いてもよい。軽量化、加工のしやすさから、遮光板１２及びシャッター部材５５の厚みは１．０ｍｍ以下が好ましく、より好ましくは０．１５〜０．５ｍｍである。
【００６８】
また、遮光板１２及びシャッター部材５５は、プラスチックで形成してもよい。使用するプラスチックとしては、例えばＰＯＭ等が適しており、上述した第１シェル等と同様に、遮光性物質や滑剤を添加するとよい。
【００６９】
シャッターバネやロックバネには、バネ定数、耐久性、加工性などの観点から、オーステナイト系バネ用ステンレス綱の使用が好ましく、例えば、ＳＵＳ３００番台を用いることができる。また、好ましい線径としては、シャッターバネは０．２〜０．７ｍｍ、ロックバネには０．１５〜０．４ｍｍが好ましい。
【００７０】
また、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッター収納部を境にして２部品で構成すれば、金型の簡易化を図ることができる。
【００７１】
更に、両面に記録が可能な記録ディスクを収容するカートリッジを例に説明したが、一方の面に記録される記録ディスクに対応させてもよい。この場合には、開口を一方の面にのみ形成し、シャッターでこの開口を開閉する。また、ホログラム記録媒体を収容するカートリッジを例に説明したが、その他の感光性を有する記録媒体を収容するカートリッジにも本発明を適用することができる。
【図面の簡単な説明】
【００７２】
【図１】本発明を実施したカートリッジの外観形状を示す斜視図である。
【図２】カートリッジの反対側の面を示す外観斜視図である。
【図３】カートリッジのシャッター開放状態を示す外観斜視図である。
【図４】カートリッジの構成を示す分解斜視図である。
【図５】カートリッジの装填方向の断面図である。
【図６】カートリッジの装填方向に直交する方向の断面図である。
【図７】ロック機構の構成を示す分解斜視図である。
【図８】図７に示すロック機構の動作説明図である。
【図９】シャッターを開放するための各種機構の一例を示す説明図である。
【図１０】別の実施形態のロック機構の構成を示す分解斜視図である。
【図１１】図１０に示すロック機構の動作説明図である。
【図１２】更に別の実施形態のロック機構の構成を示す分解斜視図である。
【図１３】図１１に示すロック機構の動作説明図である。
【符号の説明】
【００７３】
２  カートリッジ
３  ディスク収容部
４  記録ディスク
７，８  位置決め溝
１２  遮光板
１３  シャッター
１４，１５  外部開口
１８，１９  内部開口
２７  ロック機構
５５  シャッター部材
５６  スライド部材
６３，１０７，１２７  第１のロック部材
６４，１００，１２０  第２のロック部材
【図１】
2006244587.tif 000003
【図２】
2006244587.tif 000004
【図３】
2006244587.tif 000005
【図４】
2006244587.tif 000006
【図５】
2006244587.tif 000007
【図６】
2006244587.tif 000008
【図７】
2006244587.tif 000009
【図８】
2006244587.tif 000010
【図９】
2006244587.tif 000011
【図１０】
2006244587.tif 000012
【図１１】
2006244587.tif 000013
【図１２】
2006244587.tif 000014
【図１３】
2006244587.tif 000015